(57)【要約】【課題】外部からの応力によってカバーが塑性変形するのを防止することのできる熱線センサ付自動スイッチを提供する。【解決手段】熱線センサＴＰと、リレーＳＷと、熱線センサＴＰを収納するとともに検知範囲からの熱線を熱線センサＴＰの受光部に集光する集光レンズ３０を有するレンズブロック３と、集光レンズ３０を露出させる窓穴１１ｃを有し検知範囲を変化させるようにレンズブロック３を回動自在に保持するハウジングＡとを備え、ハウジングＡは、各々一面が開口した箱形のボディ１及びカバー２を互いに結合して成り、ボディ１に、ボディ１及びカバー２が結合されている状態でカバー２の内壁と当接する複数のリブ１０ｄを形成した。【選択図】図１
2010027397.tif 000002
【特許請求の範囲】
【請求項１】
人体から発せられる熱線を検知する熱線センサと、熱線センサの出力に応じて電源から負荷への給電を入／切するリレーと、熱線センサを収納するとともに検知範囲からの熱線を熱線センサの受光部に集光する集光レンズを有するレンズブロックと、集光レンズを露出させる窓穴を有し検知範囲を変化させるようにレンズブロックを回動自在に保持するハウジングとを備え、ハウジングが天井面に埋込配設される熱線センサ付自動スイッチであって、ハウジングは、各々一面が開口した箱形のボディ及びカバーを互いに結合して成り、ボディには、ボディ及びカバーが結合されている状態でカバーの内壁と当接する複数のリブが形成されたことを特徴とする熱線センサ付自動スイッチ。
【請求項２】
前記ボディ及びカバーの互いに突き合わせる部位には、互いに噛み合う突条がそれぞれ設けられたことを特徴とする請求項１記載の熱線センサ付自動スイッチ。
【請求項３】
前記レンズブロックは、各々一面が開口した第１の枠体及び第２の枠体の開口面を互いに結合して成る回転枠と、回転枠内部に収納されて熱線センサが実装される基板とを備え、何れか一方の枠体に基板が固定されるとともに、他方の枠体に熱線センサの受光部と対向する形で集光レンズが配設され、前記一方の枠体に基板を載置するリブを設けるとともに、前記他方の枠体において基板と対向する部位にダボを設けたことを特徴とする請求項１又は２記載の熱線センサ付自動スイッチ。
【請求項４】
前記ボディは、後面が造営材の表面に当接するフランジ部を備えるとともに、フランジ部との間に造営材を挟持する挟み片と、軸がフランジ部の後面に交差する形でハウジングに対して軸方向に回動自在に保持され挟み片に螺合した引締めねじと、引締めねじを回動させた際に挟み片とフランジ部との間の距離が変化するように挟み片のハウジングに対する回動を規制するガイド部とから成る挟み部を備え、フランジ部には、引締めねじの頭部が挿通される第１の挿通孔及び引締めねじの軸部が挿通される第２の挿通孔が連通する取付孔が貫設され、第１の挿通孔と第２の挿通孔とが連通する部位周辺には、引締めねじの頭部を第２の挿通孔側に案内するテーパが設けられたことを特徴とする請求項１乃至３の何れか１項に記載の熱線センサ付自動スイッチ。
【請求項５】
前記カバーには、挟み片の少なくとも一部を避ける切り欠きが設けられたことを特徴とする請求項４記載の熱線センサ付自動スイッチ。
【発明の詳細な説明】
【技術分野】
【０００１】
本発明は、人体から放射される熱線を検知することにより人の存否を検出し、負荷を制御する熱線センサ付自動スイッチに関する。
【背景技術】
【０００２】
従来から、人体から放射される熱線を検知することにより人の存否を検出する熱線センサを備え、熱線センサの出力に応じて負荷を制御する熱線センサ付自動スイッチが提供されており、例えば特許文献１に開示されている。この種の熱線センサ付自動スイッチは、例えば負荷を照明とした場合、室内に人が入った時に照明をオンし、人が室外に退出した時に照明をオフするといった制御に用いられる。
【０００３】
以下、この種の熱線センサ付自動スイッチの従来例について図面を用いて説明する。但し、以下の説明では、図７における上下を前後方向と定めるものとする。この従来例は天井に取り付けられるものであって、図７に示すように、天井面に形成される取付穴（図示せず）の周部下面に当接するフランジ部１１及びフランジ部１１の後面中央部に突設された筒部１０を有するボディ１と、前面が開放された有底筒状であって筒部１０に結合して閉塞し収納部を形成するカバー２とから成るハウジングＡを備える。筒部１０の後端には４個の組立片１０ａが突設され、組立片１０ａに貫設した組立穴１０ｂに対してカバー２の前端部の外周面に突設した組立突起２０を係合させることによってボディ１とカバー２とが結合する。
【０００４】
ハウジングＡには、例えば焦電体エレメント等の赤外線検出エレメントから成る熱線センサＴＰが収納された球状のレンズブロック１００と、熱線センサＴＰの出力に応じてオン／オフするリレーＳＷが実装された第１のプリント配線板Ｐ１と、リレーＳＷの動作を設定するための切替スイッチ部（図示せず）や熱線センサＴＰの感度を設定するための可変抵抗（図示せず）等、手動で操作されるハンドルを有する素子が実装された第２のプリント配線板Ｐ２とが収納されている。ここで、第２のプリント配線板Ｐ２はレンズブロック１００の後側において実装面を前方へ向けて固定され、ボディ１の前方からハンドルを操作できるようになっている。また、第１のプリント配線板Ｐ１は、第２のプリント配線板Ｐ２の後側において実装面を後方へ向けて固定されている。
【０００５】
第１のプリント配線板Ｐ１には、リレーＳＷの他にリレーＳＷと電線（図示せず）とを接続するための３個の端子部６が実装されている。端子部６は所謂速結端子であって、互いに隣接して各々第１のプリント配線板Ｐ１に実装されてリレーＳＷに電気的に接続された２個の端子板６０と、カバー２に設けられた電線挿通穴２１から挿入された電線をそれぞれ端子板６０との間に鎖錠する２個の鎖錠ばね６１と、カバー２に設けられた解除穴２２から挿入されたマイナスドライバ等の治具に押圧されることにより２個の鎖錠ばね６１を同時に押圧して鎖錠を解除する１個の解除釦６２とから成る。これらの端子部６のうち１個の端子部６に電源側の電線を接続し、別の１個の端子部６に負荷側の電線を接続すれば、電源から負荷への給電をリレーＳＷによって入／切することができる。尚、残る１個の端子部６には、従来周知の熱線センサの子器（図示せず）が接続される。
【０００６】
レンズブロック１００は、検知範囲からの熱線を熱線センサＴＰの受光面に集光する略半球形状の集光レンズ１０１と、熱線センサＴＰが実装された基板Ｐ３と、基板Ｐ３が内側に取り付けられるとともに集光レンズ３０に結合して球形を形成する略半球形状の回転枠１０２と、集光レンズ１０１と回転枠１０２との結合部を覆う略環状の保持枠１０３とから成る。フランジ部１１の中央部には、筒部１０と連通するとともに集光レンズ１０１を露出させる窓穴（図示せず）が前後方向に貫設されている。また、レンズブロック１００の後側には、両端部が取付ねじ１１１によってフランジ部１１にねじ止めされた押さえ金具１１０の中間部が位置している。押さえ金具１１０とレンズブロック１００との間には、レンズブロック１００をフランジ部１１に押し付ける方向に付勢するコイルばね１１２が挿入されている。更に、回転枠１０２外面の開口を挟んだ２箇所には、それぞれ略円柱形状の軸部１０２ａが突設され、該軸部１０２ａがフランジ部１１後面の窓穴を挟んだ２箇所に形成されて窓穴と連通する凹部（図示せず）に収納されることにより、レンズブロック１００は軸部１０２ａを軸として回動自在となっている。而して、レンズブロック１００を回転させて集光レンズ１０１の向きを変えることで検知範囲を変化させることができる。
【０００７】
また、フランジ部１１後面の筒部１０を挟んだ両側には、天井の造営材をフランジ部１１との間で挟んでハウジングＡを固定するための挟み部７が取り付けられる。挟み部７は、一側面が筒部１０と対向する前後方向に長尺な略直方体形状であって、筒部１０から離れた側の一側面が開放されたガイド部７０と、ガイド部７０の長手方向の両端を貫通した引締めねじ７１と、一部がガイド部７０に収納されガイド部７０内部で引締めねじ７１に螺合した挟み片７２とを備える。
【０００８】
ガイド部７０の開口面に隣接する一側面の後端部には、開口に連通した切り欠き７０ａが設けられている。挟み片７２は、ガイド部７０の後端に位置している時に切り欠き７０ａに挿通可能となっており、挟み片７２が切り欠き７０ａに挿通された状態から引締めねじ７１を回動させると、挟み片７２が切り欠き７０ａから出てガイド部７０の開口面に沿って前方へ移動するようになっている。引締めねじ７１は、フランジ部１１に設けられた取付孔１１ａからドライバを挿入して回動させることができるようになっており、フランジ部１１後面を天井面に当接させた状態で引締めねじ７１を回動させると、挟み片７２が切り欠き７０ａから出てフランジ部１１に近付く方向に移動し、挟み片７２とフランジ部１１との間で天井の造営材を挟持することができる。
【０００９】
また、フランジ部１１の挟み部７が取り付けられる部位の近傍には、天井にフランジ部１１を直付けするためのねじや、天井面に埋込配設される埋込ボックス（図示せず）に結合するねじを挿通するためのねじ挿通穴１１ｂが貫設されている。更にハウジングＡには、天井面との間でフランジ部１１を覆う化粧プレート５が取り付けられており、フランジ部１１のねじ挿通穴１１ｂ等を覆い隠すことで見栄えを良くしている。尚、化粧プレート５には、レンズブロック１００を露出させる貫通穴５０が貫設されている。
【特許文献１】特開平９−５５１４９号公報
【発明の開示】
【発明が解決しようとする課題】
【００１０】
しかしながら、上記従来例では、カバー２をボディ１に結合している状態において外部からの応力がかかった場合、当該応力によってカバー２が押圧されて塑性変形してしまう虞があった。カバー２が塑性変形してしまうと、カバー２の組立突起２０とボディ１の組立片１０ａとの結合が緩くなり、場合によってはボディ１とカバー２との結合が解除されてしまう虞があった。
【００１１】
本発明は、上記の点に鑑みて為されたもので、外部からの応力によってカバーが塑性変形するのを防止することのできる熱線センサ付自動スイッチを提供することを目的とする。
【課題を解決するための手段】
【００１２】
請求項１の発明は、上記目的を達成するために、人体から発せられる熱線を検知する熱線センサと、熱線センサの出力に応じて電源から負荷への給電を入／切するリレーと、熱線センサを収納するとともに検知範囲からの熱線を熱線センサの受光部に集光する集光レンズを有するレンズブロックと、集光レンズを露出させる窓穴を有し検知範囲を変化させるようにレンズブロックを回動自在に保持するハウジングとを備え、ハウジングが天井面に埋込配設される熱線センサ付自動スイッチであって、ハウジングは、各々一面が開口した箱形のボディ及びカバーを互いに結合して成り、ボディには、ボディ及びカバーが結合されている状態でカバーの内壁と当接する複数のリブが形成されたことを特徴とする。
【００１３】
請求項２の発明は、請求項１の発明において、ボディ及びカバーの互いに突き合わせる部位には、互いに噛み合う突条がそれぞれ設けられたことを特徴とする。
【００１４】
請求項３の発明は、請求項１又は２の発明において、レンズブロックは、各々一面が開口した第１の枠体及び第２の枠体の開口面を互いに結合して成る回転枠と、回転枠内部に収納されて熱線センサが実装される基板とを備え、何れか一方の枠体に基板が固定されるとともに、他方の枠体に熱線センサの受光部と対向する形で集光レンズが配設され、前記一方の枠体に基板を載置するリブを設けるとともに、前記他方の枠体において基板と対向する部位にダボを設けたことを特徴とする。
【００１５】
請求項４の発明は、請求項１乃至３の何れか１項の発明において、ボディは、後面が造営材の表面に当接するフランジ部を備えるとともに、フランジ部との間に造営材を挟持する挟み片と、軸がフランジ部の後面に交差する形でハウジングに対して軸方向に回動自在に保持され挟み片に螺合した引締めねじと、引締めねじを回動させた際に挟み片とフランジ部との間の距離が変化するように挟み片のハウジングに対する回動を規制するガイド部とから成る挟み部を備え、フランジ部には、引締めねじの頭部が挿通される第１の挿通孔及び引締めねじの軸部が挿通される第２の挿通孔が連通する取付孔が貫設され、第１の挿通孔と第２の挿通孔とが連通する部位周辺には、引締めねじの頭部を第２の挿通孔側に案内するテーパが設けられたことを特徴とする。
【００１６】
請求項５の発明は、請求項４の発明において、カバーには、挟み片の少なくとも一部を避ける切り欠きが設けられたことを特徴とする。
【発明の効果】
【００１７】
請求項１の発明によれば、リブがボディ及びカバーが結合されている状態でカバーの内壁と当接することで、カバーが外部からの応力によって押圧されて塑性変形するのを防止することができる。
【００１８】
請求項２の発明によれば、カバーが外部からの応力によって押圧されて塑性変形するのを防止することができる。また、ボディ及びカバーの突き合わせ部位において、外部とボディ及びカバー内部との間の絶縁距離を確保することができる。
【００１９】
請求項３の発明によれば、回転枠を組み立てる際に、ダボが基板と当接して潰れることで各部品の寸法の差異を吸収することができるので、基板に実装された熱線センサの受光部と集光レンズとの間の距離を略一定に保つことができる。
【００２０】
請求項４の発明によれば、挟み部をフランジ部に取り付ける際に引締めねじの頭部を第１の挿通孔に挿通した状態でテーパに沿って第２の挿通孔に引締めねじの軸部を案内することができるので、挟み部をフランジ部に容易に取り付けることができる。
【００２１】
請求項５の発明によれば、カバーの寸法を変更することなく挟み片の一部を避けるスペースを設けることができ、したがってカバーの寸法を最大限確保することができる。
【発明を実施するための最良の形態】
【００２２】
以下、本発明に係る熱線センサ付自動スイッチの実施形態について図面を用いて説明する。但し、本実施形態の基本的な構成は従来例とほぼ共通であるので、形状に若干の違いがあっても機能が共通する構成要素には同一の番号を付して説明を省略する。また、以下の説明では、図２では上下方向を前後方向と定めるが、天井に埋込配設された実際の使用状態では前方（図２における上方）が下方、後方（図２における下方）が上方となる。本実施形態は、図１，２に示すように、ボディ１の筒部１０に、ボディ１及びカバー２が結合されている状態でカバー２の内壁と当接する複数（図示では４つ）のリブ１０ｄを形成したことに特徴がある。尚、本実施形態では、従来例のレンズブロック１００の代わりにレンズブロック３を用いるとともに、従来例の押さえ金具１１０及びコイルばね１１２の代わりにばね部材４を用いているので、以下、レンズブロック３及びばね部材４について図面を用いて説明する。
【００２３】
レンズブロック３は、図３，４に示すように、集光レンズ３０と、集光レンズ３０を保持する回転枠と、熱線センサＴＰが上面に実装されて回転枠内に収納される基板Ｐ３とからなる。集光レンズ３０は、球面の一部が周方向並びに径方向に分割された多分割レンズからなるレンズ部３０ａと、略円筒形状であって軸方向の前端側の開口がレンズ部３０ａで塞がれた筒部３０ｂとが合成樹脂材料によって一体に形成されている。また筒部３０ｂの周面における後端側には外向きに一対の係止爪３０ｃが突設されている。
【００２４】
回転枠は、各々一面が開口する略半球形状に形成された第１の枠体３１並びに第２の枠体３２を互いの開口面を突き合わせる形で結合して構成される。第１の枠体３１は、図４（ａ）に示すように、前面中央に平面視略円形の凹所３１ａが形成され、凹所３１ａの底面には略円形の窓孔３１ｂが開口している。凹所３１ａの周面には集光レンズ３０の一対の係止爪３０ｃが各々係止する一対の係止凹部３１ｃが形成されており、筒部３０ｂを凹所３１ａに嵌合したときに一対の係止爪３０ｃがそれぞれ係止凹部３１ｃと係止することでレンズ部３０ａを凹所３１ａの外へ突出させた状態で集光レンズ３０が第１の枠体３１に取り付けられる。また、第１の枠体３１には後方へ突出する一対の突片３１ｄが設けられ、各突片３１ｄの先端には外向きに突出する結合爪３１ｅが設けられている。さらに、第１の枠体３１の内周面からは３つの突部３１ｆが周方向において略等間隔に突設され、各突部３１ｆからは後向きに突出する直方体状の突リブ３１ｇが各々突設されている。
【００２５】
第２の枠体３２は、図４（ｂ）に示すように、略半球形状の球面部３２ａと、球面部３２ａの前端縁より前方へ立ち上がる略円筒形状の周壁部３２ｂとが合成樹脂材料によって一体に形成されている。また、球面部３２ａの中央部からは後方へ突出する略円柱形状の突部３２ｃが突設されている。第２の枠体３２の内側には基板Ｐ３が載置される複数のリブ３２ｄが突設されている。さらに、周壁部３２ｂの内周面には第１の枠体３１の一対の結合爪３１ｅと係合する一対の係合溝３２ｅが設けられている（図３（ｂ）参照）。
【００２６】
而して、リブ３２ｄ上に基板Ｐ３が載置された第２の枠体３２の上から第１の枠体３１を被せれば、第１の枠体３１の突片３１ｄに設けられている結合爪３１ｅが第２の枠体３２の周壁部３２ｂに設けられている係合溝３２ｄとそれぞれ係合し、第１の枠体３１と第２の枠体３２とが互いの開口面を突き合わせる形で結合されて回転枠が組み立てられる。このとき、第１の枠体３１の３つの突リブ３１ｇの後端面から突設されている略円錐形状のダボ３１ｈが基板Ｐ３に当接して潰される。つまり、第１の枠体３１と第２の枠体３２とが結合爪３１ｅと係合溝３２ｅとの係合によって結合される構造であるため、第１の枠体３１と第２の枠体３２との間に各部品の寸法誤差に起因した前後方向のがたつきが生じて熱線センサＴＰの受光部とレンズ部３０ａとの距離を一定に保つことが難しくなる。しかしながら本実施形態では、上述のように回転枠を組み立てる際に、ダボ３１ｈが基板Ｐ３と当接して潰れることで各部品の寸法の差異を吸収することができるので、基板Ｐ３に実装された熱線センサＴＰの受光部とレンズ部３０ａとの間の距離を一定に保つことができる。尚、本実施形態では第２の枠体３２に基板Ｐ３を載置するリブを設けるとともに第１の枠体３１にダボ３１ｈを設けているが、これとは逆に、第１の枠体３１に基板Ｐ３を載置するリブを設けるとともに第２の枠体３２にダボを設けても同様の作用効果を奏する。また、基板Ｐ３には熱線センサＴＰへの給電並びに熱線センサＴＰからの出力用のリード線Ｌの一端が半田接合されており、回転枠の周部に設けられている電線挿通孔３３を通して回転枠の外に引き出されている（図１（ａ），（ｂ）参照）。
【００２７】
ばね部材４は、図１（ａ），（ｂ）に示すように、中央部に円形の挿通孔４０ａが貫通した略円環状の第１の板部４０と、第１の板部４０の周方向に沿うとともに第１の板部４０と離間して設けられる略円環状の第２の板部４１と、第１の板部４０と第２の板部４１との間において第１の板部４０及び第２の板部４１の周方向に沿って配設される複数（図示では４つ）の長尺板状の弾性部４２とが板状の金属材料を打ち抜き加工することで一体に形成されている。尚、４つの弾性部４２は、それぞれの一端が第１の板部４０に連結されるとともに他端が第２の板部４１に連結される。
【００２８】
第１の板部４０と第２の板部４１とは互いに同心に形成され、第１の板部４０は隙間を空けて第２の板部４１に囲まれている。また、各弾性部４２は互いに同形状であって、第１の板部４０と第２の板部４１との間で周方向に略９０度ずつ位置をずらして設けられ、それぞれ周方向に延長された細長い円弧状に形成されている。このように弾性部４２を形成することにより、弾性部４２を第１の板部４０及び第２の板部４１の径方向に延長して形成する場合と比較して弾性部４２を長さ寸法を長くすることができて弾性限度内で大きく変形させることができる。また、第２の板部４１の外周縁には４つの保持片４１ａがそれぞれ厚み方向に切り起こし形成されている。レンズブロック収納部１２の内周面には、後端が開放された一対の縦溝（図示せず）が窓穴１１ｃの中心を挟んで対向する位置に形成されている。一方、レンズブロック３の第２の枠体３２には円柱形状の一対の凸部３２ｆが外向きに突設されており、これら一対の凸部３２ｆが各々縦溝に嵌め込まれる。
【００２９】
筒部１０の内側における窓穴１１ｃの周縁には、レンズブロック３を回動自在に収納する略円筒形状のレンズブロック収納部１２が突設されている。筒部１０の内側におけるレンズブロック収納部１２の周囲には、レンズブロック収納部１２よりも背の高い複数（図示では４つ）の突起部１３が後方へ向けて突設されている。これら４つの突起部１３の後端部には、ばね部材４の４つの保持片４１ａがそれぞれ嵌合する取付部（図示せず）が凹設されている。
【００３０】
而して、第２の枠体３２から突設されている一対の凸部３２ｆをそれぞれ縦溝に嵌め込むとともに窓穴１１ｃから集光レンズ３０を突出させるようにしてレンズブロック収納部１２にレンズブロック３を収納した後、第２の枠体３２の突部３２ｃを第１の板部４０の中央部に貫通する円形の挿通孔４０ａに挿通し、第２の板部４１に設けられている４つの保持片４１ａをそれぞれ取付部に嵌合すれば、筒部１０の内側における窓穴１１ｃの周縁部分とばね部材４との間でレンズブロック３が回動自在に弾性狭持されることになる。但し、レンズブロック３の回動範囲は第２の枠体３２の突部３２ｃが挿通された挿通孔４０ａの内周縁によって規制される。
【００３１】
ここで、図１（ａ），（ｂ）に示すように、ボディ１の筒部１０の四隅には、それぞれ後方に向かって突出する断面略Ｌ字状のリブ１０ｄが突設されている。これらリブ１０ｄの外方に突出する端部は、カバー２をボディ１に結合した状態においてカバー２の内壁と当接するようになっている。而して、カバー２が外部からの応力によって内方へ押圧されてもリブ１０ｄとカバー２の内壁が当接することで塑性変形するのを防止することができ、したがって塑性変形によってボディ１の組立穴１０ｂとカバー２の組立突起２０との嵌合が外れるのを防ぐことができる。
【００３２】
また、筒部１０の図１（ｂ）における左右両壁の後端部、及びカバー２の周壁において前記後端部と対向する前端部には、互いに噛み合う突条１０ｅ，２ａがそれぞれ突設されている（図２参照）。而して、カバー２が外部からの応力によって内方へ押圧されても各突条１０ｅ，２ａが互いに噛み合うことで塑性変形するのを防止することができる。また、ボディ１及びカバー２を面一で互いに突き合わせる場合と比較して、外部とハウジングＡ内部との間の絶縁距離を確保することができる。
【００３３】
ところで、挟み部７は、引締めねじ７１の頭部を取付孔１１ａに挿通するとともに、取付孔１１ａを挟んだ両側に貫設された略矩形状の係止孔１１ｄに挟み部７のガイド部７０前端部に突設された一対の係止片７０ｂを挿入し、引締めねじ７１の頭部を内方へスライドさせることでフランジ部１１に取り付けられるようになっている（図５（ａ）参照）。ここで、取付孔１１ａは、引締めねじ７１の頭部が挿通される第１の挿通孔Ｈ１及び引締めねじ７１の軸部が挿通される第２の挿通孔Ｈ２が連通して構成されており、従来では図５（ｄ）に示すように、第１の挿通孔Ｈ１と第２の挿通孔Ｈ２とが連通する部位（同図イ参照）が平坦に形成されている。このため、引締めねじ７１を内方へスライドする際に引締めねじ７１の頭部が前記部位に引っ掛かり易く、挟み部７をフランジ部１１に容易に取り付けることができないという問題があった。
【００３４】
そこで、本実施形態では図５（ｂ），（ｃ）に示すように、第１の挿通孔Ｈ１と第２の挿通孔Ｈ２とが連通する部位を傾斜させることで（同図ア参照）、引締めねじ７１の頭部を第２の挿通孔Ｈ２側に案内するテーパを設けている。而して、挟み部７をフランジ部１１に取り付ける際に、引締めねじ７１の頭部を第１の挿通孔Ｈ１に挿通した状態でテーパに沿って第２の挿通孔Ｈ２に引締めねじ７１の軸部を案内することができるので、引締めねじ７１の頭部が引っ掛かることが無く、挟み部７をフランジ部１１に容易に取り付けることができる。
【００３５】
また、図６（ａ），（ｂ）に示すように、カバー２の図６（ａ）における左右両壁には、挟み部７の挟み片７２の先端部の一部を避ける断面略三角形状の切り欠き２ｂがそれぞれ設けられている。尚、同図では、カバー２に設けられた電線挿通穴２１及び解除穴２２を保護するための有底筒状の補助カバー６４が覆設されている。本実施形態のような熱線センサ付自動スイッチは、ハウジングＡを天井の造営材に貫設された埋込配設用の埋込孔（図示せず）に挿通させた後にフランジ部１１を造営材に取り付けることで天井に配設されるものであるが、埋込孔に挿通させる際にカバー２の寸法によっては挟み片７２の先端部が挿通できない虞がある。このため、挟み片７２の先端部が埋込孔に挿通できるようにカバー２の寸法を小さくしなければならない。そこで、上述のように挟み片７２の先端部の一部を避ける切り欠き２ｂを設けることで、カバー２の寸法を変更することなく挟み片７２が埋込孔に挿通できるように挟み片７２の一部を避けるスペースを設けることができ、したがってカバー２の寸法を最大限確保することができる。
【図面の簡単な説明】
【００３６】
【図１】本発明に係る熱線センサ付自動スイッチを示す図で、（ａ）はボディの斜視図で、（ｂ）はボディの平面図である。
【図２】同上のボディとカバーとを結合した状態の断面図である。
【図３】（ａ）は同上の全体斜視図で、（ｂ）は同上の分解斜視図である。
【図４】（ａ）は同上における第１の枠体の斜視図で、（ｂ）は同上におけるレンズブロックの断面図である。
【図５】同上における挟み部を示す図で、（ａ）は化粧プレートを外した状態の全体斜視図で、（ｂ）は取付孔の断面図で、（ｃ）は引締めねじを取り付けた状態の取付孔の断面図で、（ｄ）は従来の取付孔の断面図である。
【図６】同上の切り欠きを示す図で、（ａ）は後面図で、（ｂ）は斜視図である。
【図７】従来の熱線センサ付自動スイッチを示す分解斜視図である。
【符号の説明】
【００３７】
１  ボディ
１０ｄ  リブ
１１ｃ  窓穴
２  カバー
３  レンズブロック
３０  集光レンズ
Ａ  ハウジング
ＴＰ  熱線センサ
【図１】
2010027397.tif 000003
【図２】
2010027397.tif 000004
【図３】
2010027397.tif 000005
【図４】
2010027397.tif 000006
【図５】
2010027397.tif 000007
【図６】
2010027397.tif 000008
【図７】
2010027397.tif 000009